(57)【要約】【課題】ポンプの動作音を入浴者に聞こえ難くした浴槽を提供する。【解決手段】底面部と、前記底面部を囲み、前記底面部より上方に向かって延びる側面部と、前記底面部と前記側面部とで囲まれた空間内に空気又は湯水を供給するためのポンプと、を備え、前記側面部は、背もたれ部となる第１内側面と、第１内側面と相対する第２内側面と、を有し、前記底面部は、前記第１内側面と前記第２内側面との間に設けられた第１底面と、前記第１底面と前記第２内側面との間に設けられ、入浴者の脚を載置するための第２底面と、を有し、前記第２底面の高さは、前記第１底面の高さよりも高く、前記ポンプは、前記第２底面の下方に配置されていることを特徴とする浴槽である。【選択図】図１
2018140027.tif 000002
【特許請求の範囲】
【請求項１】
底面部と、
前記底面部を囲み、前記底面部より上方に向かって延びる側面部と、
前記底面部と前記側面部とで囲まれた空間内に空気又は湯水を供給するためのポンプと、
を備え、
前記側面部は、背もたれ部となる第１内側面と、第１内側面と相対する第２内側面と、を有し、
前記底面部は、前記第１内側面と前記第２内側面との間に設けられた第１底面と、前記第１底面と前記第２内側面との間に設けられ、入浴者の脚を載置するための第２底面と、を有し、
前記第２底面の高さは、前記第１底面の高さよりも高く、
前記ポンプは、前記第２底面の下方に配置されていることを特徴とする浴槽。
【請求項２】
前記ポンプの下部は、前記第１底面よりも下方に配置されていることを特徴とする請求項１記載の浴槽。
【請求項３】
前記ポンプは、前記空間内の湯水を循環させるためのポンプであって、
前記ポンプに接続され、循環させる湯水を通す循環配管と、
前記ポンプに設けられ、前記ポンプ内の残水を外部に排出するための排出部と、
前記排出部に設けられた開閉弁と、
をさらに備えたことを特徴とする請求項２記載の浴槽。
【請求項４】
前記第１底面に設けられた排水口をさらに備え、
前記排出部は、前記ポンプに接続された排出管であり、
前記排出管は、前記排水口の下方に接続される排水管に接続可能であることを特徴とする請求項３記載の浴槽。
【請求項５】
前記空間内の水位を検知する水位検知部と、
前記水位検知部の検知結果に基づいて前記開閉弁の開閉を制御する制御部と、
をさらに備え、
前記制御部は、前記空間内の水位が所定水位以下となった場合に、前記開閉弁を開くことを特徴とする請求項３又は４に記載の浴槽。
【請求項６】
前記制御部は、前記開閉弁を開いた後、所定時間経過した後に前記開閉弁を閉じることを特徴とする請求項５記載の浴槽。
【発明の詳細な説明】
【技術分野】
【０００１】
本発明の態様は、一般的に、浴槽に関する。
【背景技術】
【０００２】
背もたれ部側に湯水循環用のポンプを配置した浴槽が知られている（例えば、特許文献１）。しかしながら、このように背もたれ部側にポンプを配置してしまうと、ポンプの動作音が入浴者に聞こえてしまい、リラックス効果を低下させてしまうことが懸念される。
【先行技術文献】
【特許文献】
【０００３】
【特許文献１】特開平８−２１５０８９号公報
【発明の概要】
【発明が解決しようとする課題】
【０００４】
本発明は、かかる課題の認識に基づいてなされたものであり、ポンプの動作音を入浴者に聞こえ難くした浴槽を提供することを目的とする。
【課題を解決するための手段】
【０００５】
第１の発明は、底面部と、前記底面部を囲み、前記底面部より上方に向かって延びる側面部と、前記底面部と前記側面部とで囲まれた空間内に空気又は湯水を供給するためのポンプと、を備え、前記側面部は、背もたれ部となる第１内側面と、第１内側面と相対する第２内側面と、を有し、前記底面部は、前記第１内側面と前記第２内側面との間に設けられた第１底面と、前記第１底面と前記第２内側面との間に設けられ、入浴者の脚を載置するための第２底面と、を有し、前記第２底面の高さは、前記第１底面の高さよりも高く、前記ポンプは、前記第２底面の下方に配置されていることを特徴とする浴槽である。
【０００６】
この浴槽によれば、入浴者の脚を載置するための第２底面を設けることにより、背もたれ部となる内側面を認識し易くさせることができる。また、第２底面を設けることにより、入浴時に腰などに負担をかかり難くすることができ、入浴によるリラックス効果をより高めることができる。さらに、第２底面の下方という背もたれ部から離れた位置にポンプを配置することにより、入浴者にポンプの動作音を聞こえ難くし、ポンプの動作音によるリラックス効果の低下を抑制することができる。また、第２底面の下方の空間にポンプを配置することにより、浴槽内の前後左右の長さを小さくする必要がなく、浴槽内の広さを確保することもできる。さらには、第２底面の下方の空間にポンプを配置することにより、底面部の下方の空間にポンプを配置する場合でも、浴槽の底面部全体の高さを高くする必要を抑えることができるため、側面部の上端の高さが大幅に高くなって浴槽の跨ぎ高さが高くなってしまうことを抑制することができる。
【０００７】
第２の発明は、第１の発明において、前記ポンプの下部は、前記第１底面よりも下方に配置されていることを特徴とする浴槽である。
【０００８】
この浴槽によれば、第２底面の高さが過度に高くなってしまうことを抑制することができ、第１底面に対する第２底面の高さを適切に設定することができる。入浴時に腰などにかかる負担を、より抑制することができ、入浴によるリラックス効果をより高めることができる。
【０００９】
第３の発明は、第２の発明において、前記ポンプは、前記空間内の湯水を循環させるためのポンプであって、前記ポンプに接続され、循環させる湯水を通す循環配管と、前記ポンプに設けられ、前記ポンプ内の残水を外部に排出するための排出部と、前記排出部に設けられた開閉弁と、をさらに備えたことを特徴とする浴槽である。
【００１０】
この浴槽によれば、湯水を循環させるためのポンプの下部を第１底面よりも下方に配置した場合でも、開閉弁を開くことにより、ポンプ内に残る湯水を外部に排出することができる。例えば、ポンプ内に残った湯水において、菌などが増えてしまうことを抑制することができる。また、開閉弁を閉じることにより、循環時に湯水が外部に排出されてしまうことを抑制することもできる。
【００１１】
第４の発明は、第３の発明において、前記第１底面に設けられた排水口をさらに備え、前記排出部は、前記ポンプに接続された排出管であり、前記排出管は、前記排水口の下方に接続される排水管に接続可能であることを特徴とする浴槽である。
【００１２】
この浴槽によれば、排出管から排出された水が、建築躯体などに流れ出てしまうことを抑制することができる。
【００１３】
第５の発明は、第３又は第４の発明において、前記空間内の水位を検知する水位検知部と、前記水位検知部の検知結果に基づいて前記開閉弁の開閉を制御する制御部と、をさらに備え、前記制御部は、前記空間内の水位が所定水位以下となった場合に、前記開閉弁を開くことを特徴とする浴槽である。
【００１４】
この浴槽によれば、浴槽内の湯水の排水時に自動的に開閉弁を開き、ポンプ内の残水も排出することができる。従って、使用者などに開閉弁を開閉する手間などをかけさせてしまうことを省くことができるとともに、ポンプ内の残水を排出し忘れてしまうことを抑制することもできる。
【００１５】
第６の発明は、第５の発明において、前記制御部は、前記開閉弁を開いた後、所定時間経過した後に前記開閉弁を閉じることを特徴とする浴槽である。
【００１６】
この浴槽によれば、開閉弁を自動的に閉じることができ、使用者などに手間を掛けさせることなく、開閉弁の閉じ忘れを抑制することができる。
【発明の効果】
【００１７】
本発明の態様によれば、ポンプの動作音を入浴者に聞こえ難くした浴槽が提供される。
【図面の簡単な説明】
【００１８】
【図１】実施形態に係る浴槽を模式的に表す斜視図である。
【図２】実施形態に係る浴槽を模式的に表す斜視図である。
【図３】実施形態に係る浴槽の一部を模式的に表す平面図である。
【図４】実施形態に係る浴槽の一部を模式的に表す断面図である。
【図５】実施形態に係る浴槽の一部を拡大して模式的に表す断面図である。
【図６】実施形態に係る浴槽の一部を模式的に表す断面図である。
【図７】実施形態に係る浴槽の枕部の部分を拡大して模式的に表す断面図である。
【図８】図８（ａ）〜図８（ｃ）は、実施形態に係る浴槽の枕部の部分を拡大して模式的に表す断面図である。
【図９】図９（ａ）及び図９（ｂ）は、実施形態に係る浴槽の枕部の部分を拡大して模式的に表す断面図である。
【図１０】実施形態に係る浴槽の一部を模式的に表す斜視図である。
【図１１】図１１（ａ）及び図１１（ｂ）は、実施形態に係る浴槽の一部を模式的に表す斜視図である。
【図１２】実施形態に係る浴槽の吐水部を模式的に表す斜視図である。
【図１３】実施形態に係る浴槽の吐水部を模式的に表す断面図である。
【図１４】実施形態に係る浴槽の吐水部を模式的に表す正面図である。
【図１５】実施形態に係る浴槽の使用状態の一例を模式的に表す斜視図である。
【図１６】実施形態に係る浴槽を模式的に表す底面図である。
【図１７】実施形態に係る浴槽を模式的に表す断面図である。
【図１８】図１８（ａ）及び図１８（ｂ）は、実施形態に係る浴槽を模式的に表す説明図である。
【図１９】実施形態に係る浴槽の制御部の動作の一例を模式的に表すフローチャートである。
【図２０】図２０（ａ）〜図２０（ｌ）は、実施形態に係る浴槽の出浴の手順の一例を模式的に表す説明図である。
【図２１】参考の浴槽の一部を模式的に表す平面図である。
【図２２】実施形態に係る浴槽の変形例を模式的に表す平面図である。
【図２３】実施形態に係る浴槽の変形例を模式的に表す断面図である。
【図２４】実施形態に係る浴槽の変形例を模式的に表す断面図である。
【発明を実施するための形態】
【００１９】
以下、実施形態について図面を参照しつつ説明する。なお、各図面中、同様の構成要素には同一の符号を付して詳細な説明は適宜省略する。  
図１及び図２は、実施形態に係る浴槽を模式的に表す斜視図である。  
図１及び図２に表したように、浴槽１０は、浴槽本体１２を備える。浴槽本体１２は、底面部１４と、側面部１６と、を有する。側面部１６は、底面部１４を囲み、底面部１４より上方に向かって延びる。側面部１６は、より詳しくは、底面部１４の外縁を囲む。これにより、浴槽１０では、底面部１４と側面部１６とで囲まれた浴槽本体１２の内部の空間ＳＰ内に湯水を溜めることができ、浴槽本体１２内で入浴を行うことができる。
【００２０】
側面部１６は、第１内側面２１と、第２内側面２２と、を有する。第１内側面２１は、入浴者の背中を支持する背もたれ部３０を有する。第２内側面２２は、第１内側面２１と相対する位置に配置されている。すなわち、第２内側面２２は、背もたれ部３０に背中を当接させた入浴者の脚側の内側面である。入浴者は、背もたれ部３０に背中を当接させた状態で、入浴を行うことができる。
【００２１】
ここで、本願明細書においては、背もたれ部３０に背中を当接させた入浴者からみて上方を「上方」とし、下方を「下方」とし、前方を「前方」とし、後方を「後方」とし、右側を「右側方」とし、左側を「左側方」とする。
【００２２】
背もたれ部３０は、例えば、水平方向に対して４５°以下の傾斜角度を有する。これにより、浴槽１０では、仰向けになるように上体を倒して入浴することができる。以下、本願明細書においては、仰向けになるように上体を倒して入浴する状態を「寝浴」と称す。浴槽１０は、寝浴を可能とする浴槽に限ることなく、浴槽本体１２内に座るような姿勢で入浴する浴槽でもよい。
【００２３】
浴槽本体１２を上方から見た形状は、前後方向に長い楕円形状である。浴槽本体１２を上方から見た形状は、楕円形状に限ることなく、長方形状、正方形状、又は円形状などでもよい。浴槽本体１２の形状は、寝浴を可能とする任意の形状でよい。
【００２４】
浴槽１０は、造作風呂などに用いられる単体浴槽でもよいし、ユニットバス（システムバス）に用いられる浴槽でもよい。浴槽１０の設置方法は、据え置き型、埋め込み型、半埋め込み型などの任意の設置方法でよい。
【００２５】
底面部１４は、第１底面４１と、第２底面４２と、支持部４４と、を有する。第１底面４１は、第１内側面２１と第２内側面２２との間に設けられている。第２底面４２は、第１底面４１と第２内側面２２との間に設けられている。支持部４４は、第１底面４１と第２底面４２との間に設けられている。
【００２６】
第１底面４１は、寝浴状態の入浴者の臀部を載置するための面である。支持部４４は、背もたれ部３０及び第１底面４１よりも背もたれ部３０に背中を当接させた使用者の前方に設けられ、寝浴姿勢にある入浴者の臀部が前方へ移動することを抑制するために第１底面４１よりも上方へ突出して形成されている。すなわち、支持部４４は、寝浴姿勢にある入浴者の臀部を支持する。第２底面４２は、支持部４４よりも前方に設けられ、入浴者の脚を載置するために第１底面４１よりも高い位置に設けられた載置部である。
【００２７】
このように、第２底面４２を第１底面４１よりも高い位置に設け、入浴者の脚の位置を臀部の位置よりも高くする。これにより、人間の筋骨格系の構造上最も身体にかかる負担が少ない姿勢（以下、「中立姿勢」と称す）に、寝浴状態の入浴者の姿勢を近づけることができる。寝浴状態の入浴者を脱力させ、リラクゼーション効果をより高めることができる。
【００２８】
浴槽本体１２は、枕部５０と、排水口５１と、オーバーフロー口５２と、噴射口５３、５４と、吸込み口５５と、をさらに有する。
【００２９】
枕部５０は、所定の範囲に亘って上下方向及び前後方向に移動可能に側面部１６の背もたれ部３０に設けられている。枕部５０は、上方側に顔を向けた状態の入浴者の後頭部を載置可能な頭部載置面５０ａを有する。浴槽１０では、背もたれ部３０の傾斜に沿って枕部５０を上下及び前後に移動させることにより、入浴者の身長などに合わせて頭部載置面５０ａの位置を調整することができる。枕部５０の頭部載置面５０ａよりも下方の部分は、凸曲面状に湾曲している（図７参照）。この頭部載置面５０ａの下方の曲面部分は、入浴者の首の付け根にフィットし易い曲面形状に形成される。これにより、入浴者の頭部をより適切に支持し易くすることができる。
【００３０】
枕部５０は、吐水口５０ｂを有する。吐水口５０ｂは、頭部載置面５０ａよりも下方に設けられている。吐水口５０ｂは、頭部載置面５０ａに後頭部を載置した状態の入浴者の首部に向けて湯水を吐水する。これにより、例えば、寝浴状態の入浴者の首部を温めることができる。また、吐水口５０ｂから吐水された湯水の一部は、入浴者の首部に当たるとともに、入浴者の肩や胸にも当たる。これにより、例えば、寝浴状態の入浴者の上半身をより温め易くすることができる。
【００３１】
吐水口５０ｂは、左右方向に長いスリット状に形成されている。吐水口５０ｂは、左右方向に延びた帯状の水流を吐水する。吐水口５０ｂの左右方向の長さは、例えば、２０ｃｍ〜３０ｃｍ程度である。吐水口５０ｂの左右方向の長さは、例えば、人間の首の平均的な幅よりも長い。これにより、寝浴状態の入浴者の首部に適切に湯水を当てることができるとともに、入浴者の肩や胸などにも湯水を当て易くすることができる。
【００３２】
排水口５１は、底面部１４の第１底面４１に設けられている。すなわち、排水口５１は、浴槽本体１２の内部の空間ＳＰにおいて最も低い位置に設けられる。排水口５１には、例えば、排水口５１を開閉する排水栓が設けられる。排水栓で排水口５１を塞ぐことにより、浴槽本体１２内に湯水を溜めることができる。そして、排水口５１を開くことにより、浴槽本体１２内に溜まった湯水を外部に排出することができる。
【００３３】
オーバーフロー口５２は、第２内側面２２の上部に設けられている。オーバーフロー口５２の位置は、第２内側面２２に限ることなく、側面部１６の任意の位置でよい。オーバーフロー口５２は、オーバーフロー管路６０（図６参照）に連通し、浴槽本体１２内（空間ＳＰ内）の湯水の水位が、オーバーフロー口５２の高さに達した際に、湯水をオーバーフロー管路６０に流す。オーバーフロー管路６０は、オーバーフロー口５２から流れ込んだ湯水を外部の排水管などに流す。これにより、浴槽本体１２の外側に湯水が溢れてしまうことを抑制することができる。
【００３４】
このように、オーバーフロー口５２の下端は、底面部１４と側面部１６とで囲まれた空間内に溜められる湯水の溢れ水位を規定する規定部として機能する。規定部は、オーバーフロー口５２の下端に限ることなく、例えば、浴槽本体１２のリム（浴槽本体１２の上端）などでもよい。
【００３５】
噴射口５３は、背もたれ部３０の下部に設けられている。噴射口５３は、寝浴状態の入浴者の腰などに向けて湯水を噴射する。これにより、入浴者の腰などに刺激を与え、リラクゼーション効果をより高めることができる。この例において、噴射口５３は、入浴者の抗重力筋である脊柱起立筋の位置を狙って湯水を噴射する。また、この例において、浴槽本体１２は、左右に並ぶ２つの噴射口５３を有する。噴射口５３の数は、２つに限ることなく、１つでもよいし、３つ以上でもよい。
【００３６】
噴射口５４は、第２底面４２に設けられている。この例において、浴槽本体１２は、左右に２つ、前後に３つ並ぶ、合計６つの噴射口５４を有している。各噴射口５４は、前方に向かうにつれ広がるような、ハの字状になるように配置されている。各噴射口５４は、寝浴状態の入浴者の脚などに向けて気泡を噴射する。これにより、入浴者の脚などに刺激を与え、リラクゼーション効果をより高めることができる。噴射口５４の数は、６つに限ることなく、任意の数でよい。
【００３７】
吸込み口５５は、第２内側面２２においてオーバーフロー口５２よりも下方に設けられている。吸込み口５５の位置は、オーバーフロー口５２よりも下方の任意の位置でよい。吸込み口５５は、浴槽本体１２内に溜められた湯水の吸込みを行う。浴槽１０は、吸込み口５５から浴槽本体１２内に溜められた湯水を吸込み、吸い込んだ湯水を枕部５０の吐水口５０ｂから吐水するとともに、噴射口５３から噴射する。すなわち、浴槽１０は、浴槽本体１２内の湯水を循環させることにより、吐水口５０ｂからの湯水の吐水、及び噴射口５３からの湯水の噴射を行う。
【００３８】
図３は、実施形態に係る浴槽の一部を模式的に表す平面図である。  
図４は、実施形態に係る浴槽の一部を模式的に表す断面図である。  
図４は、図３のＡ１−Ａ２線断面に相当する。  
図３及び図４に表したように、第１内側面２１は、右側肩当て部３１、左側肩当て部３２、右側手当て部３３、左側手当て部３４、右側溝部３５、及び左側溝部３６をさらに有する。
【００３９】
右側肩当て部３１及び左側肩当て部３２は、背もたれ部３０の上部の左右両側に設けられている。右側肩当て部３１及び左側肩当て部３２は、寝浴状態の入浴者の肩を支持する。右側肩当て部３１及び左側肩当て部３２は、例えば、背もたれ部３０と一体に形成される。従って、右側肩当て部３１及び左側肩当て部３２は、背もたれ部３０と面一である。右側肩当て部３１及び左側肩当て部３２は、左右方向において背もたれ部３０と面一である。ここで、「面一」とは、例えば、左右方向及び上下方向と平行な平面における断面において、２つの面の最も高い点と最も低い点との高さの差が、１０ｍｍ以下の状態である。右側肩当て部３１及び左側肩当て部３２は、背もたれ部３０よりも前方へ突出していてもよい。右側肩当て部３１及び左側肩当て部３２は、寝浴状態の入浴者の肩を支持可能な任意の形状でよい。
【００４０】
右側手当て部３３及び左側手当て部３４は、背もたれ部３０の下部の左右両側に設けられている。右側手当て部３３及び左側手当て部３４は、寝浴状態の入浴者の手を載置可能とする。
【００４１】
図４に表したように、左側手当て部３４は、前方に向かって下方に傾斜している。右側手当て部３３の形状は、左側手当て部３４の形状と左右対称な形状である。従って、右側手当て部３３も左側手当て部３４と同様に、前方に向かって下方に傾斜している。
【００４２】
右側溝部３５及び左側溝部３６は、背もたれ部３０の上下方向における中央部の左右両側に設けられている。右側溝部３５及び左側溝部３６は、背もたれ部３０に背中を当接させた入浴者の後方側へ背もたれ部３０よりも凹んでいる。右側溝部３５及び左側溝部３６は、例えば、背もたれ部３０の表面と直交する方向において、背もたれ部３０よりも凹んでいる。換言すれば、右側溝部３５及び左側溝部３６は、背もたれ部３０よりも背面側に凹んでいる。
【００４３】
これにより、右側溝部３５及び左側溝部３６は、入浴者が手で右側手当て部３３及び左側手当て部３４を押圧して上体を起こす際に、入浴者の肘が背もたれ部３０よりも背面側に位置することを可能とする。換言すれば、右側溝部３５及び左側溝部３６は、入浴者が手で右側手当て部３３及び左側手当て部３４を押圧して上体を起こす際に、入浴者の肘を収納可能とする。
【００４４】
図４に表したように、左側溝部３６の下部は、前方に向かって下方へ傾斜し、左側手当て部３４と連続する。すなわち、左側手当て部３４及び左側溝部３６は、前方に向かって連続的に下方へ傾斜する傾斜面を形成する。右側溝部３５の形状は、左側溝部３６の形状と左右対称な形状である。右側溝部３５の下部は、左側溝部３６と同様に、前方に向かって下方へ傾斜し、右側手当て部３３と連続する。
【００４５】
右側溝部３５の下部及び左側溝部３６の下部の水平方向に対する傾斜角度は、右側手当て部３３及び左側手当て部３４の水平方向に対する傾斜角度よりも大きい。右側手当て部３３、左側手当て部３４、右側溝部３５、及び左側溝部３６は、例えば、背面側に凹んだ凹曲面状である。従って、右側溝部３５の傾斜角度は、右側手当て部３３の傾斜角度よりも大きい。左側溝部３６の傾斜角度は、左側手当て部３４の傾斜角度よりも大きい。
【００４６】
右側手当て部３３及び左側手当て部３４の水平方向に対する傾斜角度は、例えば、１０°以上である。右側溝部３５の下部及び左側溝部３６の下部の水平方向に対する傾斜角度は、例えば、１０°以上である。右側手当て部３３、左側手当て部３４、右側溝部３５、及び左側溝部３６は、曲面状に限ることなく、直線的な傾斜面状でもよい。
【００４７】
右側溝部３５及び左側溝部３６の背もたれ部３０からの深さＤＮは、例えば、２ｃｍ以上２０ｃｍ以下である。これにより、上体を起こす際に、入浴者の肘を適切に収納することができるとともに、右側溝部３５及び左側溝部３６が過度に深くなって、右側溝部３５及び左側溝部３６の部分に手や肘を付きにくくなってしまうことを抑制することができる。例えば、入浴者の上体をより起こし易くさせることができる。
【００４８】
図４に表したように、第１底面４１は、前後方向において実質的に水平である。第１底面４１は、換言すれば、背もたれ部３０と支持部４４との間に設けられ、支持部４４の下端に繋がり、前後方向において水平な水平部である。ここで、「水平」とは、例えば、面内の最も高い点と最も低い点とを結ぶ線分の角度が、１０°以下の状態である。
【００４９】
支持部４４は、前方に向かって上方に傾斜している。支持部４４の水平方向に対する傾斜角度は、同じ高さにおける背もたれ部３０の水平方向に対する傾斜角度よりも大きい。前述のように、背もたれ部３０の水平方向に対する傾斜角度は、４５°以下である。これに対して、支持部４４の水平方向に対する傾斜角度は、例えば、４５°よりも大きく９０°よりも小さい。
【００５０】
背もたれ部３０の下端３０ａは、水平部である第１底面４１と繋がっている。背もたれ部３０の水平方向に対する傾斜角度は、支持部４４の上端４４ａと同じ高さの位置３０ｂから第１底面４１（下端３０ａ）までの全体に亘って、同じ高さにおける支持部４４の水平方向に対する傾斜角度よりも小さい。
【００５１】
この例において、第１底面４１は、左右方向においても水平である（図３参照）。第１底面４１は、実質的に水平面である。第１底面４１の両側部の前後方向の長さＬ２は、第１底面４１の中央部の前後方向の長さＬ１よりも長い。第１底面４１は、例えば、排水口５１に向かって下降傾斜する数度程度の傾斜を有していてもよい。第１底面４１は、いわゆる排水勾配を有していてもよい。
【００５２】
また、この例では、入浴者の脚を載置するための載置部である第２底面４２も、実質的に水平である。第２底面４２は、前後方向及び左右方向において実質的に水平な水平面である。底面部１４において、支持部４４より前方側は、全体に亘って水平である。
【００５３】
図５は、実施形態に係る浴槽の一部を拡大して模式的に表す断面図である。  
図５に表したように、背もたれ部３０は、第１領域Ｒ１と、第２領域Ｒ２と、を有する。第２領域Ｒ２は、第１領域Ｒ１の上方に連続して設けられる。また、背もたれ部３０は、屈曲線ＦＬを有する。屈曲線ＦＬは、第１領域Ｒ１と第２領域Ｒ２との境界部分に設けられている。第２領域Ｒ２は、第１領域Ｒ１に対して屈曲している。屈曲線ＦＬは、背もたれ部３０において傾斜角度が変化するように屈曲した部分であり、左右方向に線状に延びる。屈曲線ＦＬは、例えば、支持部４４の上端４４ａよりも高い位置に設けられる。ここで、「屈曲」とは、例えば、傾斜角度の異なる２つ面が、半径２ｃｍ以下の丸み又は面取りを介して接続されている状態である。
【００５４】
第２領域Ｒ２の水平方向に対する傾斜角度θ２は、第１領域Ｒ１の水平方向に対する傾斜角度θ１よりも大きい。第１領域Ｒ１の傾斜角度θ１は、例えば、１０°以上４５°以下である。第２領域Ｒ２の傾斜角度θ２は、例えば、傾斜角度θ１の角度に５°以上３０°以下の角度を加えた角度である。
【００５５】
第１領域Ｒ１及び第２領域Ｒ２は、傾斜面状でもよいし、曲面状でもよい。また、背もたれ部３０は、必ずしも屈曲していなくてもよい。背もたれ部３０は、例えば、下方に凹む凹曲面状でもよい。これにより、屈曲させた場合と同様に、背もたれ部３０の上方の部分の傾斜角度を、背もたれ部３０の下方の部分の傾斜角度よりも大きくすることができる。背もたれ部３０は、下方の部分と上方の部分とで傾斜角度の異なる任意の形状でよい。例えば、前後方向及び上下方向と平行な断面において、第１領域Ｒ１の下端と上端とを結ぶ線分の水平方向に対する傾斜角度が、第２領域Ｒ２の下端と上端とを結ぶ線分の水平方向に対する傾斜角度と異なっていればよい。
【００５６】
背もたれ部３０は、急傾斜部３８を有する。急傾斜部３８は、背もたれ部３０の下部中央と第１底面４１との間に設けられる。急傾斜部３８の水平方向に対する傾斜角度は、背もたれ部３０の下部中央の水平方向に対する傾斜角度よりも大きい。第１領域Ｒ１の傾斜角度θ１は、例えば、第１領域Ｒ１において急傾斜部３８よりも上方の部分の傾斜角度である。
【００５７】
枕部５０は、第２領域Ｒ２に設けられている。枕部５０は、第２領域Ｒ２内の所定の範囲ＭＡ１内において上下及び前後に移動する。換言すれば、枕部５０は、所定の範囲ＭＡ１内において背もたれ部３０の傾斜方向に移動する。図５では、枕部５０が、最高位置にある状態を表している。枕部５０が、背もたれ部３０に沿って移動する距離ＭＬは、例えば、１５５ｍｍ以上である。
【００５８】
屈曲線ＦＬは、最低位置にした枕部５０の下端よりも所定間隔ＤＴを空けて下方に設けられている。所定間隔ＤＴは、例えば、１００ｍｍ以上である。所定間隔ＤＴは、より詳しくは、背もたれ部３０に沿う長さにおいて１００ｍｍ以上である。所定間隔ＤＴは、より好ましくは、背もたれ部３０に沿う長さにおいて１４０ｍｍ以上２００ｍｍ以下である。
【００５９】
また、図５に表したように、第２領域Ｒ２の傾斜角度を第１領域Ｒ１の傾斜角度よりも大きくすることにより、第１領域Ｒ１によって入浴者に寝浴感を与えつつ、第２領域Ｒ２によって入浴者の背中（背骨）を曲げさせることができる。これにより、背中が曲がった状態において無意識下で入浴者に働く「背中をまっすぐにしようとする背中のバネ力Ｆ」を利用して、入浴者は、背もたれ部３０及び支持部４４に身体を押し付ける力を得ることができる。
【００６０】
支持部４４は、寝浴状態の入浴者の臀部を支持し、入浴者の身体が背もたれ部３０の傾斜に沿って滑り落ちる方向と逆向きの力ｆ１を入浴者の身体（臀部）に付与する。また、枕部５０は、寝浴状態の入浴者の後頭部の下部ＢＢＨ（頭部と首との付け根部分）を支持し、入浴者の身体が背もたれ部３０の傾斜に沿って滑り落ちる方向と逆向きの力ｆ２を入浴者の身体（頭部）に付与する。すなわち、枕部５０には、滑り落ちる方向に対し、後頭部の下部ＢＢＨが引っ掛かる。
【００６１】
このように、支持部４４で入浴者の臀部を支持しつつ、入浴者の背中を適切に曲げさせ、入浴者に無意識下に働く背中のバネ力Ｆを利用して、入浴者を背もたれ部３０に押し付ける。これにより、入浴者を適切に脱力させることができ、よりリラックス状態で寝浴を行わせることができる。また、枕部５０に入浴者の後頭部の下部ＢＢＨを引っ掛けさせることにより、入浴者をより脱力させ、さらにリラックスさせた状態で寝浴を行わせることができる。
【００６２】
枕部５０の形状は、少なくとも入浴者の後頭部の下部ＢＢＨを載置可能（支持可能）な任意の形状でよい。頭部載置面５０ａは、上方側に顔を向けた状態の入浴者の後頭部の下部ＢＢＨを載置可能な任意の形状の面でよい。例えば、入浴者の後頭部の下部ＢＢＨが枕部５０に載置された状態において、入浴者の後頭点ＭＢＰ（後頭部の中の最も後ろ側へ出っ張った部分）は、背もたれ部３０に当接していてもよい。
【００６３】
屈曲線ＦＬは、なるべく入浴者の腰に近い位置で入浴者の背中を曲げさせる位置に配置することが好ましい。これにより、例えば、入浴者の胸に近い位置で入浴者の背中を曲げさせる場合と比べて、背中の曲げにともなう息苦しさなどを入浴者に感じさせてしまうことを抑制することができる。よりリラックスさせて入浴者に寝浴を行わせることができる。
【００６４】
図６は、実施形態に係る浴槽の一部を模式的に表す断面図である。  
図６は、図３のＢ１−Ｂ２線断面に相当する。  
図６に表したように、浴槽本体１２内の水の溢れ水位ＯＦＬを規定する規定部であるオーバーフロー口５２の下端は、枕部５０を最低位置に配置した状態の頭部載置面５０ａの位置Ｈ１から１２０ｍｍ高い位置Ｈ２よりも下方に設けられている。位置Ｈ１は、より詳しくは、枕部５０を最低位置に配置した状態の頭部載置面５０ａの下端の位置である。
【００６５】
世界的に見て身長が比較的低いアジア人女性の成人の後頭部（後頭点ＭＢＰ）から口までの長さＨＬの５％ｔｉｌｅ値は、約１９５ｍｍである。長さＨＬは、より詳しくは、前額面（人体を腹側と背側に分割する平面）に垂直な方向における後頭点ＭＢＰから口までの長さである。換言すれば、直立して正面を向いた状態の人間の後頭点ＭＢＰから口までの前後方向（水平方向）の長さである。寝浴の傾きや顎を引いた状態を考慮すると、頭部載置面５０ａから口元までの高さ方向の長さは、約１２０ｍｍよりも小さくなることはない。従って、オーバーフロー口５２は、枕部５０を最低位置に配置した状態の頭部載置面５０ａの位置Ｈ１から１２０ｍｍ高い位置Ｈ２よりも下方に設ける。これにより、比較的小柄な体格の入浴者が枕部５０の高さを最低位置にして浴槽本体１２内に湯水を追加する場合などにも、浴槽本体１２内の湯水の水位が入浴者の口元を超え、入浴者に不快感を与えてしまうことを抑制することができる。
【００６６】
オーバーフロー口５２の下端（規定部）は、例えば、位置Ｈ１と位置Ｈ２との間に溢れ水位ＯＦＬを設定することが好ましい。これにより、例えば、比較的身長の高い入浴者が枕部５０の高さを最高位置にして寝浴を行う場合などに、入浴者の肩や胸が水面から上方に出過ぎてしまうことを抑制することができる。従って、様々な体格の入浴者に対して快適に寝浴を行わせることができる。
【００６７】
図６に表したように、浴槽１０は、オーバーフロー管路６０と、ポンプ６２と、循環配管６４、６６と、をさらに備える。
【００６８】
オーバーフロー管路６０は、オーバーフロー口５２に接続されている。また、オーバーフロー管路６０は、排水口５１の下方に接続される排水管６８に接続可能である。オーバーフロー管路６０は、オーバーフロー口５２から流れ込んだ湯水を排水管６８に流す。
【００６９】
ポンプ６２は、循環配管６４を介して吸込み口５５に接続されるとともに、循環配管６６を介して枕部５０及び噴射口５３に接続される。ポンプ６２は、吸込み口５５から吸い込んだ湯水を枕部５０及び噴射口５３に供給する。これにより、ポンプ６２の駆動に応じて、枕部５０の吐水口５０ｂから湯水が吐水されるとともに、噴射口５３から湯水が噴射される。ポンプ６２は、換言すれば、浴槽本体１２の空間ＳＰ内の湯水を循環させるためのポンプである。循環配管６４、６６は、ポンプ６２に接続され、循環させる湯水を通す。
【００７０】
ポンプ６２は、例えば、第２底面４２の下方の空間に設けられる。このように、第２底面４２の下方という背もたれ部３０から離れた位置にポンプ６２を配置することにより、入浴者にポンプ６２の動作音を聞こえ難くし、ポンプ６２の動作音によるリラックス効果の低下を抑制することができる。また、第２底面４２の下方の空間にポンプ６２を配置することにより、浴槽本体１２内の前後左右の長さを小さくする必要がなく、浴槽本体１２内の広さを確保することもできる。
【００７１】
この例では、１つのポンプ６２の駆動によって枕部５０の吐水口５０ｂ及び噴射口５３のそれぞれから湯水が吐出されるようにしている。例えば、吐水口５０ｂと噴射口５３との分岐部分に三方弁などを設けることにより、吐水口５０ｂ及び噴射口５３の一方のみに選択的に湯水を供給できるようにしてもよい。あるいは、吐水口５０ｂ及び噴射口５３のそれぞれに個別にポンプを設けることにより、吐水口５０ｂ及び噴射口５３の一方のみから湯水が吐出されるようにしてもよい。
【００７２】
図７は、実施形態に係る浴槽の枕部の部分を拡大して模式的に表す断面図である。  
図７に表したように、浴槽１０は、支持部８０と、軸部８２と、吐水部８４と、をさらに備える。浴槽１０は、例えば、上下方向及び前後方向に並べて配置された２つの支持部８０を有する。支持部８０は、浴槽本体１２の背もたれ部３０に設けられている。支持部８０は、背もたれ部３０において、オーバーフロー口５２によって規定される溢れ水位ＯＦＬよりも上方に配置される。
【００７３】
図８（ａ）〜図８（ｃ）は、実施形態に係る浴槽の枕部の部分を拡大して模式的に表す断面図である。  
図８（ａ）は、図７のＣ１−Ｃ２線断面に相当する。  
図８（ｂ）は、図８（ａ）のＤ１−Ｄ２線断面に相当する。  
図８（ａ）及び図８（ｂ）に表したように、支持部８０は、突出部８０ａと、被収納部８０ｂと、ネジ８０ｃと、を有する。突出部８０ａは、背もたれ部３０から突出する。突出部８０ａは、例えば、背もたれ部３０に対して垂直な方向に突出する。突出部８０ａは、略円筒状である。突出部８０ａは、ネジ８０ｃを介して浴槽本体１２に取り付けられる。すなわち、支持部８０は、浴槽本体１２にネジ止めされる。支持部８０の取付方法は、上記に限ることなく、浴槽本体１２に取り付け可能な任意の方法でよい。突出部８０ａの形状は、円筒状に限ることなく、任意の形状でよい。
【００７４】
被収納部８０ｂは、浴槽本体１２と所定の間隔を空けて突出部８０ａの上部に取り付けられている。被収納部８０ｂは、突出部８０ａの先端側から少なくとも左右方向に突出する。被収納部８０ｂを上方から見た形状は、例えば、円形状である。従って、この例では、被収納部８０ｂが、突出部８０ａの先端側から左右方向及び前後方向に突出する。被収納部８０ｂの形状は、突出部８０ａの先端側から少なくとも左右方向に突出する任意の形状でよい。
【００７５】
被収納部８０ｂの左右の端部は、弾性を有している。被収納部８０ｂには、例えば、ゴムなどの弾性材料が用いられる。この場合には、被収納部８０ｂの略全体が、弾性を有する。
【００７６】
軸部８２は、上下方向及び前後方向に延び、上下方向及び前後方向の一部の範囲のみを支持部８０に上下方向に移動可能に支持されることにより、上下方向及び前後方向の所定の範囲ＭＡ２（図９参照）に亘って背もたれ部３０に沿って移動する。すなわち、軸部８２は、背もたれ部３０の傾斜方向に移動する。
【００７７】
軸部８２は、筒部８２ａと、開口部８２ｂと、を有する。筒部８２ａは、突出部８０ａの少なくとも一部を収納可能にできるよう、筒状に設けられる。筒部８２ａは、支持部８０の被収納部８０ｂを収納可能な筒状である。被収納部８０ｂは、換言すれば、突出部８０ａにおける筒部８２ａに収納される部分である。筒部８２ａは、例えば、四角筒状である。筒部８２ａの形状は、被収納部８０ｂの形状などに対応した任意の形状でよい。
【００７８】
開口部８２ｂは、筒部８２ａの背もたれ部３０側に設けられる。開口部８２ｂは、上下方向及び前後方向に延びる。開口部８２ｂは、換言すれば、筒部８２ａを下方に開口させる。開口部８２ｂは、筒部８２ａが被収納部８０ｂを収納した状態で、突出部８０ａを挿通可能とする。これにより、開口部８２ｂは、筒部８２ａを背もたれ部３０に沿って上下方向及び前後方向に移動可能とする。
【００７９】
開口部８２ｂの横幅（左右方向の幅）は、突出部８０ａの横幅よりも大きく、被収納部８０ｂの横幅よりも小さい。これにより、被収納部８０ｂが筒部８２ａに収納可能になるとともに、突出部８０ａが開口部８２ｂに挿通可能となる。筒部８２ａ内に収納された被収納部８０ｂは、左右方向において筒部８２ａと係合する。これにより、軸部８２の左右方向への移動が規制される。また、筒部８２ａの一部は、被収納部８０ｂと背もたれ部３０との間に入り込む。これにより、軸部８２の背もたれ部３０に対して垂直な方向への移動が規制される。すなわち、背もたれ部３０に対して垂直な方向において、軸部８２が支持部８０から抜けてしまうことが抑制される。従って、軸部８２は、上下方向及び前後方向（背もたれ部３０の傾斜方向）のみに移動可能となる。
【００８０】
筒部８２ａ（軸部８２）の左右の内側面Ｓ１、Ｓ２は、平面状に形成されている。支持部８０は、被収納部８０ｂの左右の端部Ｅ１、Ｅ２で、筒部８２ａの平面状に形成された左右の内側面Ｓ１、Ｓ２を押圧することにより、軸部８２を上下方向及び前後方向に摺動可能に支持する。筒部８２ａの左右の内側面Ｓ１、Ｓ２の幅は、被収納部８０ｂの左右の端部Ｅ１、Ｅ２の幅（被収納部８０ｂの径）よりも僅かに狭い。筒部８２ａは、内部の空間に被収納部８０ｂを収納し、被収納部８０ｂを僅かに弾性変形させる。これにより、被収納部８０ｂの左右の端部Ｅ１、Ｅ２で、筒部８２ａの左右の内側面Ｓ１、Ｓ２を押圧することが可能となる。
【００８１】
被収納部８０ｂの背もたれ部３０に対して垂直な方向の長さＬ１１は、筒部８２ａの内部の背もたれ部３０に対して垂直な方向の長さＬ１２よりも短い。これにより、軸部８２は、筒部８２ａ内に被収納部８０ｂを収納した状態において、長さＬ１１と長さＬ１２との差分の分だけ、背もたれ部３０に対して垂直な方向に移動することができる。すなわち、支持部８０は、上下方向及び前後方向に移動可能に軸部８２を支持するとともに、背もたれ部３０に対して垂直な方向にも移動可能に軸部８２を支持する。
【００８２】
この例では、２つの支持部８０が、前後方向に並べて設けられている。支持部８０の数は、１つでもよいし、３つ以上でもよい。支持部８０の数は、軸部８２を移動可能に支持することができる任意の数でよい。支持部８０の形状及び軸部８２の形状は、上記に限ることなく、軸部８２を移動させることができる任意の形状でよい。例えば、図８（ｃ）に表したように、軸部８２の左右の外側面Ｓ３、Ｓ４を平面状に形成し、平面状に形成された左右の外側面Ｓ３、Ｓ４を押圧することにより、軸部８２を摺動可能に支持してもよい。すなわち、軸部８２を挟んで摺動可能に支持してもよい。この場合、１つの支持部８０で軸部８２を挟んでもよいし、図８（ｃ）に表したように、一対の支持部８０で軸部８２を挟んでもよい。
【００８３】
図９（ａ）及び図９（ｂ）は、実施形態に係る浴槽の枕部の部分を拡大して模式的に表す断面図である。  
図７、図９（ａ）及び図９（ｂ）に表したように、枕部５０は、軸部８２に取り付けられる。これにより、枕部５０は、図９（ａ）に表した最高位置と、図９（ｂ）に表した最低位置と、の間で、背もたれ部３０の傾斜に沿って前後方向及び上下方向に移動する。また、枕部５０及び軸部８２は、各被収納部８０ｂと軸部８２との間に生じる摩擦力により、最高位置と最低位置との間の任意の位置に止めることができる。
【００８４】
支持部８０による軸部８２の摺動可能な支持は、摩擦力を利用した構成に限らない。例えば、支持部８０の構成は、ラッチ機構やギア機構などを用いて軸部８２と係合し、力を加えて係合状態（係合する位置）を変化させながら軸部８２を摺動させることにより、最高位置と最低位置との間の任意の位置に軸部８２を止める構成などでもよい。このように、支持部８０は、係合取り付けによって軸部８２を摺動可能に支持するものなどでもよい。
【００８５】
吐水部８４は、入浴者の首部に吐水を行う。吐水部８４は、枕部５０の頭部載置面５０ａよりも下方に設けられる。吐水部８４は、軸部８２に取り付けられる。これにより、吐水部８４は、枕部５０の移動に追従する。吐水部８４は、背もたれ部３０の傾斜方向に移動する。すなわち、吐水部８４は、背もたれ部３０に沿って所定の範囲ＭＡ３に亘って上下に移動可能に設けられている。吐水部８４は、循環配管６６に接続される。また、吐水部８４は、枕部５０の吐水口５０ｂに近接して配置される。これにより、吐水部８４は、循環配管６６から供給された湯水を枕部５０の吐水口５０ｂから吐出する。
【００８６】
枕部５０は、中空のドーム状であり、軸部８２に取り付けられた状態において、各支持部８０、軸部８２、及び吐水部８４を覆い隠す。枕部５０は、各支持部８０、軸部８２、及び吐水部８４を覆った状態で、軸部８２とともに背もたれ部３０に沿って所定の範囲ＭＡ１に亘って上下方向及び前後方向に移動する。
【００８７】
枕部５０は、例えば、前後方向、左右方向、及び上方向（背もたれ部３０に対して垂直な方向）において、各支持部８０、軸部８２、及び吐水部８４を覆う。すなわち、枕部５０は、各支持部８０、軸部８２、及び吐水部８４が入浴者などに視認されてしまうことを抑制する。これにより、浴槽１０の美観を向上させることができる。
【００８８】
図１０は、実施形態に係る浴槽の一部を模式的に表す斜視図である。  
図１０では、枕部５０、軸部８２、及び吐水部８４を斜め下方から見た状態を模式的に表している。  
図１０に表したように、中空状の枕部５０の内部には、枕部５０を軸部８２に着脱可能に取り付けるための一対の取付部材５０ｃ、５０ｄが設けられている。
【００８９】
取付部材５０ｃ、５０ｄは、上下方向（前後方向）に並べて設けられている。取付部材５０ｃは、枕部５０内の上端側（後端側）に設けられている。取付部材５０ｄは、枕部５０内の下端側（前端側）に設けられている。取付部材５０ｃ、５０ｄは、クリップ状に形成されている。取付部材５０ｃ、５０ｄは、軸部８２の両側面を挟むことにより、軸部８２に対する枕部５０の左右方向への動きを規制する。そして、取付部材５０ｃ、５０ｄは、取付部材５０ｃと取付部材５０ｄとの間に軸部８２の下端（前端）と上端（後端）とを挟むことにより、軸部８２に対する枕部５０の上下方向（前後方向）への動きを規制する。軸部８２は、換言すれば、枕部５０の裏面側に設けられ、枕部の上端と下端との間の範囲内で上下方向に延びる細長状である。
【００９０】
このように、取付部材５０ｃ、５０ｄで軸部８２を挟むことにより、軸部８２に対する枕部５０の前後左右への動きが規制され、枕部５０が軸部８２に取り付けられる。枕部５０の軸部８２への取付方法は、上記に限ることなく、軸部８２に着脱可能に取り付けることができる任意の取付方法でよい。
【００９１】
吐水部８４は、左右方向に延びた細長状である。吐水部８４の左右方向の長さは、枕部５０の吐水口５０ｂの左右方向の長さに対応している。吐水部８４は、吐水口５０ｂを介して左右方向に延びた帯状の水流を吐水する。
【００９２】
図１１（ａ）及び図１１（ｂ）は、実施形態に係る浴槽の一部を模式的に表す斜視図である。  
図１１（ａ）及び図１１（ｂ）では、枕部５０を軸部８２から取り外した状態を表している。また、図１１（ａ）は、軸部８２を最高位置にした状態を表し、図１１（ｂ）は、軸部８２を最低位置にした状態を表している。
【００９３】
図１１（ａ）及び図１１（ｂ）に表したように、浴槽１０は、一対の給水部８６、８８と、一対の供給配管９０、９２と、をさらに備える。各給水部８６、８８は、背もたれ部３０に設けられている。各給水部８６、８８は、軸部８２を挟むように左右方向に並べて配置されている。各給水部８６、８８は、枕部５０の移動範囲の全ての範囲において、枕部５０に覆われる位置に設けられる。
【００９４】
各給水部８６、８８は、浴槽本体１２を貫通するように設けられ、浴槽本体１２の裏面側において循環配管６６と接続される（図７、図９参照）。従って、図１１（ａ）及び図１１（ｂ）において仮想線ＶＬ１で表したように、吐水部８４を上下に移動させた場合にも、給水部８６の位置は、変化しない。同様に、仮想線ＶＬ２で表したように、吐水部８４を上下に移動させた場合にも、給水部８８の位置は、変化しない。循環配管６６は、途中で二股に別れ、各給水部８６、８８と接続される。循環配管６６は、ポンプ６２から供給された湯水を、各給水部８６、８８のそれぞれに供給する。
【００９５】
各供給配管９０、９２は、吐水部８４と各給水部８６、８８とを接続し、各給水部８６、８８から供給される湯水を吐水部８４に供給する。各供給配管９０、９２は、吐水部８４の移動に応じて形状が変化する可撓性を有する。これにより、吐水部８４を上下に移動可能とした場合にも、吐水部８４に適切に湯水を供給することができる。各供給配管９０、９２には、例えば、ゴムチューブや金属製のフレキシブルホースなどが用いられる。
【００９６】
吐水部８４は、左右方向に延びた横長状であり、左右方向の両端に各供給配管９０、９２との接続部８４ａ、８４ｂを有する。接続部８４ａは、吐水部８４の一端から右方向に延びている。接続部８４ｂは、吐水部８４の他端から左方向に延びている。このように、各接続部８４ａ、８４ｂは、吐水部８４の左右方向の両端から左右方向に延びる。
【００９７】
供給配管９０は、給水部８６と接続部８４ａとを接続する。供給配管９２は、給水部８８と接続部８４ｂとを接続する。これにより、循環配管６６から供給された湯水が、給水部８６、８８及び供給配管９０、９２を介して吐水部８４に供給される。
【００９８】
接続部８４ａ、８４ｂは、必ずしも吐水部８４の両端に設ける必要はなく、吐水部８４の左右方向の少なくとも一端に設けられていればよい。吐水部８４が１つの接続部のみを有する場合、給水部及び供給配管も１つでよい。
【００９９】
枕部５０は、背もたれ部３０の前方側に設けられ、吐水部８４が所定の範囲ＭＡ３内のどの高さにあっても、各供給配管９０、９２に前方からの荷重が作用しないように、供給配管９０、９２を覆う。すなわち、この例では、枕部５０が、供給配管９０、９２を覆うカバーとしても機能する。従って、この例では、カバーである枕部５０が、吐水部８４の移動に追従して上下に移動する。
【０１００】
供給配管９０、９２を覆うカバーは、枕部５０とは別に設けてもよい。カバーは、必ずしも入浴者の頭部を支持する枕としての機能を有していなくてもよい。また、カバーは、必ずしも吐水部８４の移動に追従しなくてもよい。カバーは、吐水部８４が所定の範囲ＭＡ３内のどの高さにあっても、各供給配管９０、９２に前方からの荷重が作用しないように、供給配管９０、９２を覆うことができる任意の構成でよい。
【０１０１】
図１２は、実施形態に係る浴槽の吐水部を模式的に表す斜視図である。  
図１３は、実施形態に係る浴槽の吐水部を模式的に表す断面図である。  
図１２及び図１３に表したように、吐水部８４は、筐体部１００と、整流板１０２と、通水経路形成部材１０４と、パッキン１０６と、蓋部１０８と、を有する。
【０１０２】
筐体部１００は、上方を開口させた略矩形の箱状である。接続部８４ａ、８４ｂは、筐体部１００の両端に設けられている。接続部８４ａ、８４ｂから供給された湯水は、筐体部１００内に溜められる。
【０１０３】
蓋部１０８は、筐体部１００の上方に取り付けられ、筐体部１００の上方の開口を塞ぐ。また、蓋部１０８は、筐体部１００の上方前方に隙間を形成する。これにより、筐体部１００及び蓋部１０８は、左右方向に延びたスリット状の吐水口８４ｃを吐水部８４の前方に形成する。接続部８４ａ、８４ｂから供給された湯水は、吐水口８４ｃから前方に向かって吐出される。
【０１０４】
吐水口８４ｃは、左右方向に延びた幅広な吐水を行う。ここで、「幅広な吐水」とは、例えば、吐水口８４ｃから吐水される水流の左右方向の長さが、吐水口８４ｃから吐水される水流の上下方向の長さよりも長い吐水形態である。換言すれば、吐水口８４ｃの左右方向の長さが、吐水口８４ｃの上下方向の長さよりも長い吐水形態である。吐水口８４ｃの左右方向の長さは、例えば、吐水口８４ｃの上下方向の長さの２倍以上である。吐水口８４ｃの左右方向の長さは、例えば、２０ｃｍ〜３０ｃｍ程度である。吐水口８４ｃの左右方向の長さは、例えば、人間の首の平均的な幅よりも長い。これにより、入浴者の首や肩などに適切に湯水を当てることができる。
【０１０５】
パッキン１０６は、筐体部１００と蓋部１０８との間に設けられる。パッキン１０６は、ゴムなどの弾性材料からなり、筐体部１００と蓋部１０８との間から吐水口８４ｃ以外の方向に水が漏れ出てしまうことを抑制する。
【０１０６】
左右方向に長い筐体部１００に対して、左右両側から湯水を供給することにより、吐水口８４ｃから吐出される水に、左右方向において偏りが生じてしまうことを抑制することができる。例えば、筐体部１００から上方に溢れる水に、左右方向において偏りが生じてしまうことを抑制することができる。従って、きれいな帯状の水流を吐水口８４ｃから吐水することができる。
【０１０７】
整流板１０２は、左右方向に並ぶ複数の開口１０２ａを有する。整流板１０２は、筐体部１００内の上部に設けられる。整流板１０２は、筐体部１００内に溜まった湯水を各開口１０２ａに通すことにより、左右方向において筐体部１００から均等に水が溢れるように、水の流れを整流する。これにより、吐水口８４ｃから吐出される水に、左右方向において偏りが生じてしまうことを、より抑制することができる。
【０１０８】
通水経路形成部材１０４は、筐体部１００内において整流板１０２と蓋部１０８との間に設けられる。通水経路形成部材１０４は、整流板１０２の各開口１０２ａを通過した水の上方への流れを遮る。通水経路形成部材１０４は、整流板１０２の各開口１０２ａを通過した水が、一度後方へ向かい、通水経路形成部材１０４の端部で折り返して前方に向かうことにより、吐水口８４ｃに流れる通水経路を形成する。
【０１０９】
上記のような通水経路を形成することにより、整流板１０２の各開口１０２ａを通過した水が、上方に向かって直接的に吐水口８４ｃに流れる構成と比べて、吐水口８４ｃから吐出される水に、左右方向において偏りが生じてしまうことを、より抑制することができる。吐水口８４ｃから吐水される水流を、よりきれいな帯状にすることができる。
【０１１０】
図１４は、実施形態に係る浴槽の吐水部を模式的に表す正面図である。  
図１４に表したように、吐水口８４ｃの両端部の上下方向の幅Ｗ２は、吐水口８４ｃの中央部の上下方向の幅Ｗ１よりも広い。これにより、吐水部８４は、吐水口８４ｃの両端部から吐水される湯水の流量を、吐水口８４ｃの中央部から吐水される湯水の流量よりも多くする。これにより、吐水口８４ｃから吐出された帯状の水流が、下方に流れるに従って中央に集まってきてしまうことを抑制することができる。従って、吐水口８４ｃから吐水される水流を、よりきれいな帯状にすることができる。
【０１１１】
図１５は、実施形態に係る浴槽の使用状態の一例を模式的に表す斜視図である。  
図１５に表したように、枕部５０の吐水口５０ｂを介して吐水される吐水部８４の帯状の湯水は、入浴者の首部に当たる。また、吐水部８４から吐水される帯状の湯水の一部は、入浴者の首部を介して入浴者の胸に流れるとともに、入浴者の身体及び背もたれ部３０を介して入浴者の肩にも流れる。
【０１１２】
これにより、例えば、身長の高い入浴者が枕部５０を最高位置にして寝浴を行い、肩や胸などが水面よりも上方に出てしまう場合などにも、入浴者の上半身を適切に温めることができる。
【０１１３】
図１６は、実施形態に係る浴槽を模式的に表す底面図である。  
なお、図１６では、便宜的に浴槽本体１２の一部を切断した状態で図示している。  
図１６に表したように、浴槽１０は、排出管１２０（排出部）と、開閉弁１２２と、ポンプ１２４と、給気管１２６と、分配管１２８と、ホース１３０と、をさらに備える。
【０１１４】
排出管１２０、開閉弁１２２、ポンプ１２４、給気管１２６、分配管１２８、及びホース１３０は、浴槽本体１２の底面部１４よりも下方の空間に設けられる。換言すれば、排出管１２０、開閉弁１２２、ポンプ１２４、給気管１２６、分配管１２８、及びホース１３０は、底面部１４に裏面側に設けられる。これらの各部は、底面部１４及び側面部１６によって上方を覆われるとともに、浴槽本体１２の一部によって側方を覆われる。これにより、これらの各部が入浴者などに視認されてしまうことを抑制することができる。
【０１１５】
排出管１２０は、循環配管６６を介してポンプ６２と接続されている。排出管１２０は、例えば、ポンプ６２に対して着脱可能に接続される。排出管１２０は、浴槽本体１２内の湯水の排出の際などに、ポンプ６２内の残水を外部に排出するための配管である。排出管１２０は、排水口５１の下方に接続される排水管６８に接続可能である。すなわち、排出管１２０は、ポンプ６２内の残水を排水管６８に排出する。ポンプ６２内の残水を外部に排出する構成は、ポンプ６２に接続される排出管１２０に限らない。ポンプ６２内の残水を外部に排出する排出部は、ポンプ６２内の残水を外部に排出可能な任意の構成でよい。排出部は、ポンプ６２自体に設けられていてもよい。また、排出管１２０（循環配管６６）などの排出部は、ポンプ６２の下端側に接続される。あるいは、排出部は、ポンプ６２の下端側に設けられる。これにより、ポンプ６２内の残水を適切に外部に排出することができる。
【０１１６】
開閉弁１２２は、排出管１２０に設けられている。開閉弁１２２は、排出管１２０を開閉する。より詳しくは、開閉弁１２２は、排出管１２０において開閉弁１２２よりも下流側への湯水の流れを許容する開状態と、排出管１２０において開閉弁１２２よりも下流側への湯水の流れを実質的に遮断する閉状態と、を切り替える。開閉弁１２２を開状態とすることにより、ポンプ６２内の残水を排水管６８に排出することができる。そして、開閉弁１２２を閉状態とすることにより、ポンプ６２から噴射口５３や吐水部８４に供給する湯水が、排水管６８に流れてしまうことを抑制することができる。
【０１１７】
開閉弁１２２は、例えば、電気的な信号に基づいて開状態と閉状態とを自動的に切り替える電磁弁である。開閉弁１２２は、電磁弁に限ることなく、開状態と閉状態とを手動で切り替える弁でもよい。
【０１１８】
ポンプ１２４は、給気管１２６に接続されている。ポンプ１２４は、周囲の空気を吸引し、吸引した空気を給気管１２６に供給する。給気管１２６は、分配管１２８に接続されている。給気管１２６は、ポンプ１２４から送られた空気を、分配管１２８に供給する。
【０１１９】
分配管１２８は、ホース１３０に接続されている。浴槽１０は、各噴射口５４に対応した複数のホース１３０を有する。この例において、浴槽１０は、６つの噴射口５４に対応した６本のホース１３０を有する。分配管１２８は、各ホース１３０に接続されている。分配管１２８は、給気管１２６から送られた空気を各ホース１３０に分配する。
【０１２０】
各ホース１３０の一端は、分配管１２８に接続されている。各ホース１３０の他端は、裏面側から各噴射口５４に接続されている。各ホース１３０は、例えば、可撓性を有する管路であり、分配管１２８から送られた空気を各噴射口５４に供給する。
【０１２１】
これにより、浴槽本体１２内に湯水を溜めた状態でポンプ１２４を駆動することにより、給気管１２６、分配管１２８、及び各ホース１３０を介して各噴射口５４に空気が供給され、各噴射口５４から浴槽本体１２内の湯水に気泡が噴射される。
【０１２２】
図１７は、実施形態に係る浴槽を模式的に表す断面図である。  
図１７に表したように、ポンプ６２及びポンプ１２４は、第２底面４２の下方の空間に配置されている。ポンプ６２の下部、及びポンプ１２４の下部は、第１底面４１よりも下方に配置されている。
【０１２３】
分配管１２８は、溢れ水位ＯＦＬよりも上方に配置される。換言すれば、分配管１２８は、オーバーフロー口５２の下端よりも上方に配置される。これにより、例えば、噴射口５４からホース１３０内に湯水が浸入してしまった場合などに、浸入した湯水がポンプ１２４に到達してしまうことを抑制することができる。すなわち、ポンプ１２４内に湯水が浸入して、ポンプ１２４が動作不良を起こしてしまうことを抑制することができる。
【０１２４】
図１８（ａ）及び図１８（ｂ）は、実施形態に係る浴槽を模式的に表す説明図である。  図１８（ａ）及び図１８（ｂ）に表したように、浴槽１０は、第１水位検知部１３１と、第２水位検知部１３２と、制御部１３４と、をさらに備える。
【０１２５】
第１水位検知部１３１及び第２水位検知部１３２は、浴槽本体１２の空間ＳＰ内の水位ＷＬを検知する。第１水位検知部１３１は、例えば、空間ＳＰ内の水位ＷＬが第１水位ＷＬ１以上か否かを検知する。第１水位ＷＬ１は、例えば、オーバーフロー口５２と吸込み口５５との間に設定される。すなわち、第１水位検知部１３１は、空間ＳＰ内の水位ＷＬが吸込み口５５よりも上方にあるか否かを検知する。
【０１２６】
第２水位検知部１３２は、例えば、空間ＳＰ内の水位ＷＬが第１水位ＷＬ１よりも低い第２水位ＷＬ２以上か否かを検知する。第２水位ＷＬ２は、例えば、排水口５１の１ｃｍ〜１０ｃｍ程度上方に設定される。すなわち、第２水位検知部１３２は、空間ＳＰ内の湯水の排水を検知する。
【０１２７】
第１水位検知部１３１及び第２水位検知部１３２は、浴槽本体１２の裏面側に配置されている。第１水位検知部１３１及び第２水位検知部１３２には、例えば、静電容量の変化によって水位を検知する静電容量式のセンサが用いられる。これにより、例えば、第１水位検知部１３１及び第２水位検知部１３２を浴槽本体１２の裏面側に配置することができる。例えば、浴槽１０のデザイン性の低下を招くことなく、空間ＳＰ内の水位ＷＬを適切に検知することができる。第１水位検知部１３１及び第２水位検知部１３２は、静電容量式のセンサに限ることなく、空間ＳＰ内の水位を検知できる任意のセンサでよい。
【０１２８】
制御部１３４は、第１水位検知部１３１及び第２水位検知部１３２と接続されるとともに、ポンプ６２及び開閉弁１２２と接続されている。制御部１３４は、第１水位検知部１３１及び第２水位検知部１３２の検知結果に基づいて、ポンプ６２及び開閉弁１２２の動作を制御する。
【０１２９】
制御部１３４は、操作部１３６と接続されている。また、図示は省略するが、制御部１３４は、ポンプ１２４と接続されている。操作部１３６は、例えば、浴槽本体１２や浴室の壁面などに取り付けて使用される。操作部１３６は、スイッチやセンサなどを有し、入浴者などの操作に応じて、制御部１３４に種々の操作指示を入力可能である。操作部１３６は、いわゆるリモコンである。制御部１３４と操作部１３６との間の電気的な通信は、有線でもよいし、無線を介して行ってもよい。
【０１３０】
制御部１３４は、操作部１３６から入力された操作指示に応じて、ポンプ６２及びポンプ１２４の駆動及び駆動の停止を制御する。これにより、入浴者などによる操作部１３６の操作に応じて、噴射口５３及び吐水部８４からの湯水の吐水及び止水が切り替えられるとともに、及び各噴射口５４からの気泡の噴射及び噴射の停止が切り替えられる。
【０１３１】
制御部１３４は、操作部１３６からポンプ６２の駆動を指示された際に、第１水位検知部１３１の検知結果を参照する。制御部１３４は、空間ＳＰ内の水位ＷＬが第１水位ＷＬ１以上であることを第１水位検知部１３１が検知している場合に、操作部１３６からの操作指示に応じてポンプ６２を駆動する。一方、制御部１３４は、空間ＳＰ内の水位ＷＬが第１水位ＷＬ１未満であることを第１水位検知部１３１が検知している場合、ポンプ６２を駆動しないようにする。すなわち、制御部１３４は、空間ＳＰ内の水位ＷＬが吸込み口５５以上である場合にのみ、ポンプ６２の駆動を許容し、空間ＳＰ内の湯水を循環させる。そして、制御部１３４は、空間ＳＰ内の水位ＷＬが第１水位ＷＬ１未満である場合には、ポンプ６２の駆動を禁止する。
【０１３２】
制御部１３４は、第２水位検知部１３２の検知結果に基づいて開閉弁１２２の開閉を制御する。制御部１３４は、空間ＳＰ内の水位ＷＬが第２水位ＷＬ２以下となった場合に、開閉弁１２２を開く。また、制御部１３４は、開閉弁１２２を開いた後、所定時間経過した後に開閉弁１２２を閉じる。制御部１３４は、例えば、空間ＳＰ内の水位ＷＬが第２水位ＷＬ２以上となった場合に、開閉弁１２２を閉じてもよい。
【０１３３】
図１８（ａ）に表したように、空間ＳＰ内の水位ＷＬが第１水位ＷＬ１以上であり、ポンプ６２を駆動して空間ＳＰ内の湯水を循環させる場合には、開閉弁１２２が閉じている。これにより、空間ＳＰ内の湯水を循環させる際に、空間ＳＰ内の湯水が排出管１２０を介して排水管６８に漏れ出てしまうことを抑制することができる。
【０１３４】
前述のように、ポンプ６２の下部は、第１底面４１よりも下方に配置されている。従って、排出管１２０及び開閉弁１２２を有しない場合、空間ＳＰ内の湯水を排水口５１から排水した後にも、ポンプ６２の内部や循環配管６４、６６の内部に湯水が残ってしまう可能性ある。
【０１３５】
このため、制御部１３４は、空間ＳＰ内の水位ＷＬが第２水位ＷＬ２以下となった場合に、開閉弁１２２を開く。これにより、図１８（ｂ）に表したように、空間ＳＰ内の湯水の排水の際に、ポンプ６２内や循環配管６４、６６内の残水を排出管１２０を介して排水管６８に排水することができる。
【０１３６】
排出管１２０の出口（ポンプ６２と反対側の端部）は、ポンプ６２よりも下方に配置されることが好ましい。換言すれば、排出管１２０は、ポンプ６２よりも下方において排水管６８に接続されることが好ましい。これにより、ポンプ６２内や循環配管６４、６６内の残水を、より確実に排水することができる。
【０１３７】
また、ポンプ６２には、例えば、渦巻きポンプやプロペラポンプなど、駆動していない状態において吸水側と吐水側とが連通したポンプが用いられる。これにより、開閉弁１２２を開くことにより、ポンプ６２内や循環配管６４、６６内の残水を排水することができる。
【０１３８】
図１９は、実施形態に係る浴槽の制御部の動作の一例を模式的に表すフローチャートである。  
図１９は、制御部１３４による開閉弁１２２の制御の一例を表している。  
空間ＳＰ内の水位ＷＬが第２水位ＷＬ２以上である場合、開閉弁１２２は、閉状態になっている。すなわち、浴槽本体１２内に湯水が溜められている場合、開閉弁１２２は、閉状態になっている。
【０１３９】
制御部１３４は、第２水位検知部１３２の検知結果を基に、空間ＳＰ内の水位ＷＬが第２水位ＷＬ２以下か否かを判定する（図１９のステップＳ０１）。制御部１３４は、空間ＳＰ内の水位ＷＬが第２水位ＷＬ２よりも高い場合（第２水位検知部１３２が湯水を検知している場合）、開閉弁１２２の閉状態を維持する。
【０１４０】
制御部１３４は、空間ＳＰ内の水位ＷＬが第２水位ＷＬ２以下であると判定した場合、所定時間が経過したか否かを判定する（図１９のステップＳ０２）。所定時間は、例えば、１分である。所定時間は、例えば、水面が第２水位ＷＬ２付近にあって、第２水位検知部１３２の検知状態と非検知状態とが短時間で交互に切り替わってしまうことを抑制可能な任意の時間でよい。
【０１４１】
制御部１３４は、所定時間が経過したと判定した場合、開閉弁１２２を閉状態から開状態に切り替える（図１９のステップＳ０３）。これにより、空間ＳＰ内の湯水の排水とともに、ポンプ６２内や循環配管６４、６６内の残水が、排出管１２０を介して排水管６８に排水される。
【０１４２】
制御部１３４は、開閉弁１２２を閉状態から開状態に切り替えた後、所定時間が経過したか否かを判定する（図１９のステップＳ０４）。所定時間は、例えば、１分である。所定時間は、例えば、ポンプ６２内や循環配管６４、６６内の残水を適切に排水可能な任意の時間でよい。
【０１４３】
制御部１３４は、所定時間の経過の後、開閉弁１２２を再び開状態から閉状態に切り替える（図１９のステップＳ０５）。これにより、開閉弁１２２の閉め忘れを抑制することができる。例えば、次に浴槽本体１２内に湯水を溜める際に、排出管１２０を介して湯水が排水管６８に流れ、無駄に湯水を消費してしまうことを抑制することができる。
【０１４４】
制御部１３４は、ステップＳ０４の処理において所定時間が経過していないと判定した場合、続いて、第２水位検知部１３２の検知結果を基に、空間ＳＰ内の水位ＷＬが第２水位ＷＬ２以下か否かを判定する（図１９のステップＳ０６）。
【０１４５】
制御部１３４は、空間ＳＰ内の水位ＷＬが第２水位ＷＬ２以下である場合、上記のように、所定時間の経過の後に、開閉弁１２２を閉状態に切り替える。一方、制御部１３４は、空間ＳＰ内の水位ＷＬが第２水位ＷＬ２よりも高いと判定した場合、所定時間の経過を待たずに即座に開閉弁１２２を閉状態に切り替える（図１９のステップＳ０７）。
【０１４６】
制御部１３４は、開閉弁１２２を開状態から閉状態に切り替えた後、ステップＳ０１の処理に戻り、以下、上記の各処理を繰り返し実行する。このように、制御部１３４は、開閉弁１２２を開状態にした場合、所定時間の経過もしくは第２水位ＷＬ２の検知に応答して開閉弁１２２を閉状態に切り替える。従って、次回の水溜めの際などには、開閉弁１２２が閉状態になっている。
【０１４７】
図２０（ａ）〜図２０（ｌ）は、実施形態に係る浴槽の出浴の手順の一例を模式的に表す説明図である。  
図２０（ａ）〜図２０（ｌ）は、図４に表した状態と実質的に同じである。従って、図２０（ａ）〜図２０（ｌ）では、便宜的に、詳細な符号の記載を省略している。
【０１４８】
図２０（ａ）に表したように、背もたれ部３０に背中を当接させ、支持部４４に臀部を支持させ、第２底面４２に脚を載置して寝浴を行った状態から出浴する場合には、まず、図２０（ｂ）に表したように、両手を右側手当て部３３及び左側手当て部３４に当てる。
【０１４９】
次に、図２０（ｃ）〜図２０（ｅ）に表したように、両手で右側手当て部３３及び左側手当て部３４を押圧しながら上体を起こす。この際、浴槽１０では、右側溝部３５及び左側溝部３６に両肘を収納することにより、両腋の開きを抑えつつ、肘を背面側に向けて屈曲させた状態で右側手当て部３３及び左側手当て部３４を手で押圧することができ、この押圧による力によって、入浴者は上体を容易に起こすことができる。
【０１５０】
次に、図２０（ｆ）に表したように、臀部を水平な第１底面４１に沿って支持部４４から背当て部３０に向けて後方にスライド移動させる。次に、図２０（ｇ）に表したように、片脚又は両脚を支持部４４に載せる。次に、図２０（ｈ）に表したように、支持部４４に載せた脚と右側手当て部３３及び左側手当て部３４に当てた両手とに力を加えることにより、臀部をさらに後方にスライド移動させ、臀部を背もたれ部３０の下部（第１領域Ｒ１）に載せる。
【０１５１】
次に、図２０（ｉ）及び図２０（ｊ）に表したように、両脚を片脚ずつ水平な第１底面４１の上に載せる。すなわち、第１底面４１の上にしゃがんだ体勢となる。そして、図２０（ｋ）及び図２０（ｌ）に表したように、両脚に力を加えることにより、第１底面４１の上に立ち上がり、浴槽１０から出浴する。
【０１５２】
また、浴槽１０への入出浴の際には、第１底面４１よりも高く、かつ水平な第２底面４２に脚を載せることができる。これにより、浴槽本体１２を跨ぎ易くすることができ、浴槽１０に対して、より入出浴し易くすることができる。
【０１５３】
図２１は、参考の浴槽の一部を模式的に表す平面図である。  
図２１では、背もたれ部に右側溝部３５及び左側溝部３６などが設けられておらず、背もたれ部を一様な傾斜面とした参考の浴槽ＢＴを表している。このような浴槽ＢＴでは、寝浴の状態から背もたれ部に手を押し当てて上体を起こす場合に、図２１に表したように、肘が背もたれ部と干渉しないように腋を大きく開く必要がある。しかしながら、腋を大きく開くと手に大きな力をかけ難くなるため、上体を起こすことが難しい場合がある。
【０１５４】
人間の筋骨格系の構造上、両手を対象に押し当てて力を付与させる際には、両腋を閉じた状態で行うことが、力を付与しやすいことから好ましい。また、人間の筋骨格系の構造上、両腕の力を最大限発揮させるためには、肘を屈曲させた状態で両手を対象に押し当てて力を付与させることが好ましい。
【０１５５】
本実施形態に係る浴槽１０では、右側溝部３５及び左側溝部３６を設けたことにより、両腋の開きを極力抑えつつ、肘を背面側に向けて屈曲させた状態で右側手当て部及び左側手当て部を手で押圧することができる（図３、図２０（ｃ）参照）。そして、この押圧による力によって、入浴者は上体を容易に起こすことができる。また、寝浴状態において入浴者の手が配設されるであろう右側手当て部３３及び左側手当て部３４をそのまま押圧して上体を起こすことになる。したがって、浴槽１０のリムを把持して上体を起こす場合と比べ、右側手当て部３３及び左側手当て部３４という入浴者の身体に近い位置に、起き上がりのための押圧する力の力点が設けられることで、より少ない押圧力で、入浴者に上体を起こさせることができる。
【０１５６】
リムなどを把持する上体起こしの方式と異なり、湯水が溜まる浴槽本体１２内の右側手当て部３３及び左側手当て部３４を手で押圧して上体を起こす方式とした場合、上体を起こすために右側手当て部３３及び左側手当て部３４を押圧した際に、手が滑ってしまったり、手が滑らないようにバランスを取るための力を不要に腕にかける必要が発生したりする可能性が生じる。
【０１５７】
これに対して、浴槽１０では、上体を起こすために必要な、前方斜め上方へ向かう力に対して、略垂直な面となるように、右側手当て部３３及び左側手当て部３４が下方へ傾斜していることから、上体を起こすために右側手当て部３３及び左側手当て部３４を押圧した際に、右側手当て部３３及び左側手当て部３４の面に沿った力が掛かり難くなり、手が滑ってしまったり、手が滑らないようにバランスを取るための力を不要に腕にかける必要がなく、入浴者は上体をより容易に起こすことができる。
【０１５８】
また、浴槽１０では、右側溝部３５の下部が、前方に向かって下方へ傾斜し、左側溝部３６の下部が、前方に向かって下方へ傾斜している。これにより、右側手当て部３３及び左側手当て部３４を押圧して上体を起こす際に、上体の起き上がりの角度に応じて右側溝部３５及び左側溝部３６を押圧することも可能となり、入浴者に上体をより起こし易くさせることができる。
【０１５９】
また、浴槽１０では、右側溝部３５の下部及び左側溝部３６の下部の水平方向に対する傾斜角度が、右側手当て部３３及び左側手当て部３４の水平方向に対する傾斜角度よりも大きい。これにより、上体の起き上がりの角度に合わせ、力を加える方向に対して略垂直な面となるように、右側溝部３５及び左側溝部３６の傾斜角度を、右側手当て部３３及び左側手当て部３４の傾斜角度よりも大きくすることにより、さらに入浴者に上体を起こし易くさせることができる。
【０１６０】
また、浴槽１０では、右側肩当て部３１及び左側肩当て部３２が、背もたれ部３０と面一又は前方へ突出しているである。これにより、肘を入れるための右側溝部３５及び左側溝部３６を設けた場合にも、寝浴状態において、入浴者の肩が背もたれ部３０よりも背面側に沈み込んでしまうことを抑制することができる。これにより、より脱力した状態で快適に入浴させることができる。
【０１６１】
上記実施形態では、背もたれ部３０の左右両側に右側肩当て部３１及び左側肩当て部３２を設けている。肩当て部は、背もたれ部３０の左側又は右側の一方のみに設けてもよい。上記実施形態では、背もたれ部３０の左右両側に右側手当て部３３及び左側手当て部３４を設けている。手当て部は、背もたれ部３０の左側又は右側の一方のみに設けてもよい。上記実施形態では、背もたれ部３０の左右両側に  右側溝部３５及び左側溝部３６を設けている。溝部は、背もたれ部３０の左側又は右側の一方のみに設けてもよい。
【０１６２】
図２０に関して説明したように、入浴者が寝浴状態から立ち上がる際には、支持部４４に当接されている臀部を水平な第１底面４１上で背もたれ部３０の方向にスライド移動させる（図２０（ｆ）参照）。その後、脚を引き寄せて支持部４４に脚裏を載せる（図２０（ｇ）参照）。そして、その状態から脚を引き伸ばす力を加えることで、臀部を背もたれ部３０に載せ、背もたれ部３０の傾斜に沿って上昇させる（図２０（ｈ）参照）。
【０１６３】
浴槽１０では、支持部４４の傾斜角度を、同じ高さにおける背もたれ部３０の傾斜角度よりも大きくしている。これにより、支持部４４に脚裏を載せた状態から膝を伸ばす力を加えた際に、臀部が背もたれ部３０の傾斜に沿って上昇する前に、脚裏が支持部４４の傾斜に沿って上昇してしまうことを抑制することができる。これにより、最終的に脚裏の最下端（例えば、かかと）より臀部を高い位置に移動させることができ（図２０（ｉ）参照）、浴槽本体１２内において立ち上がり易い体勢とすることができる。従って、脚を臀部よりも高い位置に配置した状態での寝浴を可能にしつつ、寝浴の状態から容易に立ち上がり動作を行うことができる。
【０１６４】
また、浴槽１０では、背もたれ部３０の下端３０ａが、第１底面４１と繋がっている。そして、背もたれ部３０の傾斜角度は、支持部４４の上端４４ａと同じ高さの位置から第１底面４１まで、同じ高さにおける支持部４４の傾斜角度よりも小さい。これにより、支持部４４に当接されている臀部を水平な第１底面４１上で背もたれ部３０の方向にスライド移動させ、脚を引き寄せて支持部４４に脚裏を載せた状態から、そのまま臀部を第１底面４１から背もたれ部３０の傾斜に沿って上昇させることができる。従って、より容易に立ち上がり動作を行うことができる。
【０１６５】
支持部４４の傾斜角度を、同じ高さにおける背もたれ部３０の傾斜角度よりも大きくしたことにより、臀部を背もたれ部３０の傾斜に沿って上昇させることができる一方で、湯水が溜まる浴槽本体１２内に設けられた背もたれ部３０は、滑り易いため、支持部４４に脚裏を載せた状態から膝を伸ばす力を大きく加えた際には、臀部が背もたれ部３０の傾斜に沿って急に上昇してしまい、膝が伸びきってしまう恐れがある。膝が伸びきった状態において、脚裏を浴槽内の立ち易い部位に移動させた際に、脚裏が滑ってしまうと、転倒を防ぐために脚を再度浴槽本体１２内の別の立ち易い部位に出すことが難しくなり、転倒してしまう可能性が生じる。
【０１６６】
浴槽１０では、背もたれ部３０が、第１領域Ｒ１と第２領域Ｒ２との境界部分に設けられた屈曲線ＦＬを有し、第２領域Ｒ２の傾斜角度が、第１領域Ｒ１の傾斜角度よりも大きい。これにより、臀部が背もたれ部３０の傾斜に沿って上昇した際に、臀部が屈曲線ＦＬに当接する。これにより、臀部の急な上昇を屈曲線ＦＬによって止め易くすることができる。すなわち、臀部が屈曲線ＦＬに当接して、膝が伸びきらない中腰状態となる位置で、臀部の上昇を止め易くなる。中腰状態では、膝が伸びきっていないため、脚裏が滑ってしまった際にも、転倒を防ぐために脚裏を浴槽本体１２内の立ち易い部位に移動させる動作を行い易くすることができ、より安全に立ち上がり動作を行うことができる。
【０１６７】
また、浴槽１０では、屈曲線ＦＬが、支持部４４の上端４４ａよりも高い位置に設けられている。これにより、臀部の上昇を止める位置が、支持部４４の上端４４ａよりも高い位置となるため、脚裏全体より臀部を高い位置に移動させることができ、浴槽本体１２内における立ち上がり動作をより行い易い体勢とすることができる。従って、より容易かつ安全に立ち上がり動作を行うことができる。
【０１６８】
また、浴槽１０では、底面部１４において、支持部４４より前方側が、全体に亘って水平である。これにより、入浴者は、浴槽本体１２内に入るために浴槽本体１２を跨いだ際に、支持部４４より前方側の水平な底面部１４（第２底面４２）の上に立つことができる。これにより、浴槽本体１２に対して出入りし易くすることができ、浴槽本体１２への出入りの際の入浴者の転倒を抑制することができる。
【０１６９】
また、浴槽１０では、背もたれ部３０の下部中央に、急傾斜部３８が設けられている。第１底面４１の前後方向の長さが短過ぎると、臀部を背もたれ部３０の方向にスライド移動させる移動量が短くなり、脚裏を支持部４４に載せ難くなってしまう。一方、第１底面４１の前後方向の長さを長くするために、支持部４４をより前方側へ遠くに設けてしまうと、寝浴の状態で支持部４４に臀部を当接させにくくなり、臀部を支持部４４に当接させた状態で寝浴し難くなってしまう。これに対して、浴槽１０では、背もたれ部３０と第１底面４１との間に、背もたれ部３０よりも水平方向に対する傾斜角度が大きい急傾斜部３８が設けられている。このため、寝浴の状態にあまり寄与しないデッドスペースとなる背もたれ部３０の下部が急傾斜部３８によって短くなることにより、寝浴感を損なうことを抑制しつつも、第１底面４１の距離を長くできる。従って、臀部を支持部４４に当接させた状態での寝浴における寝浴感が損なわれることを抑制しつつも、立ち上がりの動作をし易くすることができる。
【０１７０】
また、浴槽１０では、第１底面４１が、左右方向においても水平であり、第１底面４１の両側部の前後方向の長さは、第１底面４１の中央部の前後方向の長さよりも長い。これにより、浴槽本体１２への出入りの際に、第１底面４１の側部に脚を載せることができ、より浴槽本体１２に出入りし易くすることができる。その上で、第１底面４１の中央部の前後方向の長さが、両側部の前後方向の長さよりも短いため、背もたれ部３０と支持部４４との距離が長くなってしまうことを抑制できる。従って、臀部を支持部４４に当接させた状態での寝浴における寝浴感が損なわれることを抑制しつつも、立ち上がりの動作をし易くすることができる。
【０１７１】
また、浴槽１０では、浴槽本体１２の空間ＳＰ内の水の溢れ水位を規定する規定部であるオーバーフロー口５２の下端が、枕部５０を最低位置に配置した状態の頭部載置面５０ａの位置Ｈ１から１２０ｍｍ高い位置Ｈ２よりも下方に設けられている。
【０１７２】
出願人は、寝浴の体勢と人間の頭部構造との関係性について鋭意検討を行った結果、世界的に見て身長が比較的低いアジア人女性の成人の後頭部（後頭点ＭＢＰ）から口までの長さの５％ｔｉｌｅ値は、約１９５ｍｍであり、寝浴の傾きや顎を引いた状態を考慮すると、頭部載置面５０ａから口元までの高さ方向の長さは、約１２０ｍｍよりも小さくなることはないという新たな知見を得た。後頭点ＭＢＰから口までの長さは、より詳しくは、前額面（人体を腹側と背側に分割する平面）に垂直な方向における後頭点ＭＢＰから口までの長さである。換言すれば、直立して正面を向いた状態の人間の後頭点ＭＢＰから口までの前後方向（水平方向）の長さである。従って、上記のようにオーバーフロー口５２を設定することにより、比較的小柄な体格の入浴者が枕部５０の高さを最低位置にして浴槽本体１２内に湯水を追加する場合などにも、浴槽本体１２内の湯水の水位が入浴者の口元を超え、入浴者に不快感を与えてしまうことを抑制することができる。
【０１７３】
寝浴状態を維持するためには、支持部４４によって入浴者の臀部を支持することが好ましいが、入浴者の身体は、水面下において浴槽本体１２内に溜まった湯水によって浮力が発生してしまうため、臀部を支持部４４でしっかり支えることは、容易ではない。また、浮力によって体が浮いてしまうと、入浴者は無意識のうちに身体のバランスを取ろうと筋肉に力を加えてしまうため、脱力しきれず、十分なリラクゼーション効果を得ることができない可能性がある。
【０１７４】
これに対して、浴槽１０では、背もたれ部３０に第１領域Ｒ１と第２領域Ｒ２とを設けたことにより、第１領域Ｒ１によって入浴者に寝浴感を与えつつ、第１領域Ｒ１よりも傾斜角度の大きい第２領域Ｒ２によって入浴者の背中を曲げさせることができる。これにより、背中が曲がった状態において無意識下で入浴者に働く「背中をまっすぐにしようとする背中のバネ力Ｆ」を利用して、入浴者は、浴槽本体１２の背もたれ部３０及び支持部４４に身体を押し付ける力を得ることができる。また、上下に移動可能な枕部５０を第２領域Ｒ２に設けているので、枕部５０が最低位置にある場合でも、第２領域Ｒ２によって寝浴状態における入浴者の背中を曲げさせることができ、入浴者は、浴槽本体１２の背もたれ部３０及び支持部４４に身体を押し付ける力を得ることができる。以上のことから、枕部５０の上下によって、入浴者が自身の身長に合った枕部５０の位置で寝浴することができつつも、身体に負担をかけずに浴槽本体１２の背もたれ部３０及び支持部４４に身体を押し付ける力を得ることができ、脱力した状態で入浴することができる。
【０１７５】
また、浴槽１０では、最低位置にした枕部５０の下端よりも所定間隔ＤＴを空けて下方に屈曲線ＦＬを設けているので、枕部５０が最低位置にある場合でも、より確実に第２領域Ｒ２によって寝浴状態における入浴者の背中を曲げさせることができ、入浴者は、浴槽本体１２の背もたれ部３０及び支持部４４に身体を押し付ける力を得ることができる。
【０１７６】
また、所定間隔ＤＴは、１００ｍｍ以上である。これにより、入浴者が自身の身長に合った枕部５０の位置で寝浴することができつつ、より確実に身体に負担をかけずに浴槽本体１２の背もたれ部３０及び支持部４４に身体を押し付ける力を得ることができ、脱力した状態で入浴することができる。
【０１７７】
また、出願人は、寝浴の体勢と身体の保温効果との関係性について鋭意検討を行った結果、寝浴の体勢において肩や胸などが水面よりも上方に出てしまった場合、肩や胸に湯を当てて温めるよりも、首に湯を当てて温めた方が、入浴中及び入浴後の保温効果が高いという新たな知見を得た。
【０１７８】
浴槽１０では、入浴者の首部に吐水を行う吐水部８４を設け、吐水部８４が枕部５０の移動に追従するようにしている。これにより、身長の高い入浴者の肩や胸などが水面よりも上方に出てしまった場合であっても、上半身に感じる寒気を抑制することができる。また、吐水部８４から湯水を吐水して入浴者の首部や胸などを温めることにより、例えば、首まで浸かる入浴形態と比べて、入浴者の心臓にかかる負担（水圧）を抑制しつつ、入浴者の上半身を適切に温めることができる。
【０１７９】
浴槽１０では、吐水部８４が所定の範囲ＭＡ３内のどの高さにあっても、枕部５０が供給配管９０、９２に前方からの荷重が作用しないように、供給配管９０、９２を覆う。これにより、例えば、入浴者の体の一部（頭、背中、腕など）で供給配管９０、９２に前方から荷重を加えてしまい、可撓性を有する供給配管９０、９２が潰れて閉塞されてしまうことを抑制することができる。従って、滞りなく吐水を継続させることができる。
【０１８０】
浴槽１０では、入浴者の脚を載置するための第２底面４２を設けることにより、背もたれ部３０となる第１内側面２１を認識し易くさせることができる。また、第２底面４２を設けることにより、入浴時に腰などに負担をかかり難くすることができ、入浴によるリラックス効果をより高めることができる。さらに、第２底面４２の下方という背もたれ部３０から離れた位置にポンプ６２、１２４を配置することにより、入浴者にポンプ６２、１２４の動作音を聞こえ難くし、ポンプ６２、１２４の動作音によるリラックス効果の低下を抑制することができる。また、第２底面４２の下方の空間にポンプ６２、１２４を配置することにより、浴槽本体１２内の前後左右の長さを小さくする必要がなく、浴槽本体１２内の広さを確保することもできる。さらには、第２底面４２の下方の空間にポンプ６２、１２４を配置することにより、底面部１４の下方の空間にポンプ６２、１２４を配置する場合でも、浴槽本体１２の底面部１４全体の高さを高くする必要を抑えることができるため、側面部１６の上端の高さが大幅に高くなって浴槽本体１２の跨ぎ高さが高くなってしまうことを抑制することができる。すなわち、浴槽本体１２を跨ぎ易くし、浴槽本体１２への出入りをし易くすることができる。
【０１８１】
また、浴槽１０では、ポンプ６２の下部及びポンプ１２４の下部を、第１底面４１よりも下方に配置している。これにより、第２底面４２の高さが過度に高くなってしまうことを抑制することができ、第１底面４１に対する第２底面４２の高さを適切に設定することができる。入浴時に腰などにかかる負担を、より抑制することができ、入浴によるリラックス効果をより高めることができる。
【０１８２】
また、浴槽１０では、湯水を循環させるためのポンプ６２の下部を第１底面４１よりも下方に配置した場合でも、開閉弁１２２を開くことにより、ポンプ６２内に残る湯水を外部に排出することができる。例えば、ポンプ６２内に残った湯水において、菌などが増えてしまうことを抑制することができる。また、開閉弁１２２を閉じることにより、循環時に湯水が外部に排出されてしまうことを抑制することもできる。
【０１８３】
また、浴槽１０では、排出管１２０が、排水口５１の下方に接続される排水管６８に接続可能である。これにより、排出管１２０から排出された水が、建築躯体などに流れ出てしまうことを抑制することができる。
【０１８４】
また、浴槽１０では、制御部１３４が、空間ＳＰ内の水位ＷＬが第２水位ＷＬ２以下となった場合に、開閉弁１２２を開く。これにより、浴槽本体１２内の湯水の排水時に自動的に開閉弁１２２を開き、ポンプ６２内の残水も排出することができる。従って、使用者などに開閉弁１２２を開閉する手間などをかけさせてしまうことを省くことができるとともに、ポンプ６２内の残水を排出し忘れてしまうことを抑制することもできる。
【０１８５】
また、浴槽１０では、制御部１３４が、開閉弁１２２を開いた後、所定時間経過した後に開閉弁１２２を閉じる。これにより、開閉弁１２２を自動的に閉じることができ、使用者などに手間を掛けさせることなく、開閉弁１２２の閉じ忘れを抑制することができる。
【０１８６】
図２２は、実施形態に係る浴槽の変形例を模式的に表す平面図である。  
なお、上記実施形態と機能・構成上実質的に同じものについては、同符号を付し、詳細な説明を省略する。  
図２２に表したように、浴槽１０ａでは、右側肩当て部３１及び左側肩当て部３２が、背もたれ部３０の上部の左右両側において、背もたれ部３０よりも側方に設けられている。また、上記実施形態の浴槽１０では、右側溝部３５及び左側溝部３６が、背もたれ部３０、右側肩当て部３１、及び左側肩当て部３２のそれぞれの側方に設けられている。これに対して、浴槽１０ａでは、右側溝部３５が、背もたれ部３０の側方において、右側肩当て部３１と右側手当て部３３との間に設けられ、左側溝部３６が、背もたれ部３０の側方において、左側肩当て部３２と左側手当て部３４との間に設けられている。
【０１８７】
このように、右側肩当て部３１及び左側肩当て部３２は、必ずしも背もたれ部３０と一体に形成しなくてもよい。例えば、浴槽本体１２の左右方向の幅が比較的狭く、背もたれ部３０の幅を広くできない場合などには、図２２に表した浴槽１０ａのように、右側肩当て部３１及び左側肩当て部３２を背もたれ部３０の側方に設けてもよい。
【０１８８】
右側肩当て部３１及び左側肩当て部３２を背もたれ部３０の側方に設けた場合にも、右側肩当て部３１及び左側肩当て部３２は、背もたれ部３０と面一又は前方へ突出していることが好ましい。これにより、上述のように、寝浴状態において、入浴者の肩が背もたれ部３０よりも背面側に沈み込んでしまうことを抑制することができ、より脱力した状態で快適に入浴させることができる。
【０１８９】
図２３は、実施形態に係る浴槽の変形例を模式的に表す断面図である。  
図２３に表したように、浴槽１０ｂでは、背もたれ部３０が、段部３９を有する。段部３９は、背もたれ部３０の下部に設けられる。このため、浴槽１０ｂでは、背もたれ部３０のうちの前方に向かって連続的に下降傾斜する部分の下端３０ａが、第１底面４１よりも上方に位置する。
【０１９０】
このように、背もたれ部３０の下端３０ａは、必ずしも第１底面４１と繋がっていなくてもよい。背もたれ部３０は、同じ高さにおける支持部４４よりも傾斜角度の大きい部分を有していてもよい。
【０１９１】
但し、背もたれ部３０のうちの前方に向かって連続的に下降傾斜する部分の下端３０ａは、支持部４４の上端４４ａよりも下方に位置することが好ましい。これにより、上述のように、支持部４４に当接されている臀部を水平な第１底面４１上で背もたれ部３０の方向にスライド移動させ、臀部を背もたれ部３０の傾斜に沿って上昇させ易くすることができる。入浴者に立ち上がりの動作をさせ易くすることができる。
【０１９２】
図２４は、実施形態に係る浴槽の変形例を模式的に表す断面図である。  
図２４は、浴槽本体１２の第１底面４１の部分を左右方向及び上下方向に平行な断面で切断し、前方側から見た状態を模式的に表している。  
図２４に表したように、浴槽１０ｃでは、第１底面４１が、左右方向の中央部を左右方向の両端部よりも下方に凹ませた凹曲面状である。このように、第１底面４１は、少なくとも前後方向において水平であればよく、左右方向においては、必ずしも水平でなくてもよい。
【０１９３】
例えば、図２４に表したように、第１底面４１を凹曲面状にする。すなわち、第１底面４１を入浴者の臀部にフィットし易い曲面状にする。これにより、例えば、支持部４４に当接されている臀部を前後方向に水平な第１底面４１上で背もたれ部３０の方向にスライド移動させる際に、第１底面４１の左右方向の曲面によって入浴者の臀部を適切に背もたれ部３０に案内することができる。例えば、入浴者の臀部が、右側溝部３５や左側溝部３６などに、ずり落ちてしまうことを抑制することができる。従って、入浴者に立ち上がりの動作をさせ易くすることができる。
【０１９４】
一方、図３などに表したように、第１底面４１を水平面状とした場合には、例えば、出浴の際などに第１底面４１の上に立ち易くすることができる。例えば、入浴者の転倒などをより確実に抑制し、安全性をより向上させることができる。また、浴槽本体１２内の水を抜く際に、第１底面４１に水が残ってしまうことなどを抑制し、排水性を向上させることもできる。
【０１９５】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、浴槽１０などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【０１９６】
１０、１０ａ〜１０ｃ 浴槽、  １２ 浴槽本体、  １４ 底面部、  １６ 側面部、  ２１ 第１内側面、  ２２ 第２内側面、  ３０ 背もたれ部、  ３１ 右側肩当て部、  ３２ 左側肩当て部、  ３３ 右側手当て部、  ３４ 左側手当て部、  ３５ 右側溝部、  ３６ 左側溝部、  ３８ 急傾斜部、  ３９ 段部、  ４１ 第１底面（水平部）、  ４２ 第２底面（載置部）、  ４４ 支持部、  ５０ 枕部、  ５１ 排水口、  ５２ オーバーフロー口（規定部）、  ５３、５４ 噴射口、  ５５ 吸込み口、  ６０ オーバーフロー管路、  ６２ ポンプ、  ６４、６６ 循環配管、  ６８ 排水管、  ８０ 支持部、  ８２ 軸部、  ８４ 吐水部、  ８６、８８ 給水部、  ９０、９２ 供給配管、  １００ 筐体部、  １０２ 整流板、  １０４ 通水経路形成部材、  １０６ パッキン、  １０８ 蓋部、  １２０ 排出管、  １２２ 開閉弁、  １２４ ポンプ、  １２６ 給気管、  １２８ 分配管、  １３０ ホース、  １３１ 第１水位検知部、  １３２ 第２水位検知部、  １３４ 制御部、  １３６ 操作部、  ＦＬ 屈曲線、  Ｒ１ 第１領域、  Ｒ２ 第２領域
【図１】
2018140027.tif 000003
【図２】
2018140027.tif 000004
【図３】
2018140027.tif 000005
【図４】
2018140027.tif 000006
【図５】
2018140027.tif 000007
【図６】
2018140027.tif 000008
【図７】
2018140027.tif 000009
【図８】
2018140027.tif 000010
【図９】
2018140027.tif 000011
【図１０】
2018140027.tif 000012
【図１１】
2018140027.tif 000013
【図１２】
2018140027.tif 000014
【図１３】
2018140027.tif 000015
【図１４】
2018140027.tif 000016
【図１５】
2018140027.tif 000017
【図１６】
2018140027.tif 000018
【図１７】
2018140027.tif 000019
【図１８】
2018140027.tif 000020
【図１９】
2018140027.tif 000021
【図２０】
2018140027.tif 000022
【図２１】
2018140027.tif 000023
【図２２】
2018140027.tif 000024
【図２３】
2018140027.tif 000025
【図２４】
2018140027.tif 000026